(57)【特許請求の範囲】
【請求項１】
被検眼に対して離反接近される測定部に殺菌光線発生手段を備えた眼科装置において、
前記測定部から投光される光束の反射光を検知する検知手段と、該検知手段の情報に基づき前記殺菌光線を作動させるか否かを判断する判断手段とを備えたことを特徴とする眼科装置。
【請求項２】
前記検知手段は、角膜の変形を検出する角膜変形検出手段を兼用していることを特徴とする請求項１に記載の眼科装置。
【発明の詳細な説明】
【０００１】
【産業上の利用分野】
本発明は、被検眼に対して離反接近される測定部に殺菌光線発生手段を備えた眼科装置の改良に関するものである。
【０００２】
【従来の技術】
従来から、被検眼に対して離反接近される測定部に殺菌光線発生手段を備えた眼科装置には、特開平１−２５０２２０号公報、特開平３−６８３３５号公報に開示のものが知られている。
【０００３】
特開平１−２５０２２０号公報には、眼科装置としての非接触式眼圧計が開示され、その測定部のノズル部に着脱可能のキャップに殺菌光線発生手段としての光源を設けると共に感圧センサを設け、キャップのノズル部への装着を感圧センサにより検出して、光源を発光させて殺菌光線を発生させるようにしている。
【０００４】
特開平３−６８３３５号公報には、眼科装置としての非接触式眼圧計が開示され、その測定部の殺菌光線光学系に殺菌光線発生手段としての光源が設けられ、ノズル部へのキャップの装着を感圧センサにより検出して光源を発光させて殺菌光線を発生させるようにしている。
【０００５】
【発明が解決しようとする課題】
しかしながら、従来の特開平１−２５０２２０号公報に開示の眼科装置は、測定部の中に殺菌光線発生手段を設けて測定部のノズル部に中から外に向けて殺菌光線を照射することにすると、被検眼がノズル部に対向しているときに殺菌光線が被検眼に照射されるという観念をいだかせ、安全性の観点に鑑みて好ましくないため、測定部のノズル部に外から中に向けて殺菌光線を照射する構成としており、しかも、キャップの装着により殺菌光線発生手段を作動させて測定部の殺菌を行う構造であり、キャップを装着し忘れると、殺菌を行えないという不都合、測定の合間をぬってその都度頻繁に殺菌を行わせることにするとキャップの着脱を頻繁に行わなければならず、極めて検者に負担がかかり、測定の合間をぬってその都度頻繁に殺菌を行うことが容易にできないという不都合、また、感圧センサによりキャップの装着を検出する構成であるので、その分、殺菌光線発生手段の機械的構造が複雑化するという不都合がある。
【０００６】
本発明は、上記の事情に鑑みて為されたもので、その目的とするところは、殺菌光線発生手段の機械的構造を複雑化することなく、測定の合間をぬってその都度頻繁に殺菌を行わせる構成とした場合であっても容易にかつ安全性を維持しつつ測定部の殺菌を行うことができる眼科装置を提供することにある。
【０００７】
【課題を解決するための手段】
上記目的を達成するために、請求項１に記載の眼科装置は、被検眼に対して離反接近される測定部に殺菌光線発生手段を備えた眼科装置において、
前記測定部から投光される光束の反射光を検知する検知手段と、該検知手段の情報に基づき前記殺菌光線を作動させるか否かを判断する判断手段とを備えたことを特徴とする。
【０００８】
請求項２に記載の眼科装置は、前記検知手段は、角膜の変形を検出する角膜変形検出手段を兼用していることを特徴とする。
【０００９】
請求項１、２記載の発明によれば、殺菌光線発生手段の機械的構造を複雑化することなく、測定部の殺菌を行うことができる。
【００１４】
【発明の実施の形態】
以下、本発明の実施の形態を図面に従って説明する。
（実施の形態１）
図１および図２において、本発明に係る測定部Ｓは、被検眼Ｅの前眼部を観察するための前眼部観察系１０、ＸＹ方向のアライメント検出および角膜変形検出のための指標光を被検眼Ｅの角膜Ｃに正面から投影するＸＹアライメント指標投影光学系２０、被検眼Ｅに殺菌光線を照射する殺菌光線投影光学系３０、ＸＹアライメント指標光の角膜Ｃによる反射光を受光して測定部Ｓと角膜ＣのＸＹ方向の位置関係を検出するＸＹアライメント検出光学系４０、ＸＹアライメント指標光の角膜Ｃによる反射光を受光し角膜Ｃの変形量を検出する角膜変形検出光学系５０、角膜Ｃに斜めからＺ方向のアライメント用指標光を投影するＺアライメント指標投影光学系６０、Ｚアライメント指標光の角膜Ｃによる反射光を前眼部観察光学系１０の光軸に対して対称な方向から受光し測定部Ｓと角膜ＣのＺ方向の位置関係を検出するＺアライメント検出光学系７０を備えている。
【００１５】
前眼部観察光学系１０は、被検眼Ｅの左右に位置して前眼部をダイレクトに照明する複数個の前眼部照明光源１１、気流吹き付けノズル１２、前眼部窓ガラス１３、チャンバー窓ガラス１４、ハーフミラー１５、対物レンズ１６、ハーフミラー１７，１８、ＣＣＤカメラ１９を備え、Ｏ１はその光軸である。
【００１６】
前眼部照明光源１１によって照明された被検眼Ｅの前眼部像は、気流吹き付けノズル１２の内外を通り、前眼部窓ガラス１３、チャンバー窓ガラス１４、ハーフミラー１５を透過し、対物レンズ１６により集束されつつハーフミラー１７，１８を透過してＣＣＤカメラ１９上に形成される。
【００１７】
ＸＹアライメント指標投影光学系２０は、赤外光を出射するＸＹアライメント用光源２１、集光レンズ２２、開口絞り２３、ピンホール板２４、ダイクロイックミラー２５、ピンホール板２４に焦点を一致させるように光路上に配置された投影レンズ２６、ハーフミラー１５、チャンバー窓ガラス１４、気流吹き付けノズル１２を有する。
【００１８】
ＸＹアライメント用光源２１から出射された赤外光は、集光レンズ２２により集束されつつ開口絞り２３を通過し、ピンホール板２４に導かれる。そして、ピンホール板２４を通過した光束は、ダイクロイックミラー２５で反射され、投影レンズ２６によって平行光束となってハーフミラー１５で反射された後に、チャンバー窓ガラス１４を透過して気流吹き付けノズル１２の内部を通過し、図３に示すようにＸＹアライメント指標光Ｋを形成する。図３においてＸＹアライメント指標光Ｋは、角膜Ｃの頂点Ｐと角膜Ｃの曲率中心との中間位置に輝点像Ｒを形成するようにして角膜表面Ｔで反射される。なお、開口絞り２３は投影レンズ２６に関して角膜頂点Ｐと共役な位置に設けられている。
【００１９】
殺菌光線光学系３０は、図７に示す通り紫外光を出射する殺菌光線用光源３１、ピンホール板３２、ダイクロイックミラー２５、投影レンズ２６、ハーフミラー１５、チャンバー窓ガラス１４、気流吹き付けノズル１２、前眼部窓ガラス１３を有する。
【００２０】
殺菌光線用光源３１から出射された殺菌光線は、ピンホール板３２、ダイクロイックミラー２５を経て、投影レンズ２６により所定の広がりをもつ光束とされハーフミラー１５で反射された後に、チャンバー窓ガラス１４を透過し、気流吹き付けノズル１２の内外及び前眼部窓ガラス１３を通過する。
【００２１】
ＸＹアライメント検出光学系４０は、気流吹き付けノズル１２、チャンバー窓ガラス１４、ハーフミラー１５、対物レンズ１６、ハーフミラー１７，１８、センサ４１、ＸＹアライメント検出回路４２を有する。
【００２２】
ＸＹアライメント指標投影光学系２０により角膜Ｃに投影され、角膜表面Ｔで反射された反射光束は、ノズル１２の内部を通りチャンバー窓ガラス１４、ハーフミラー１５を透過し、対物レンズ１６により集束されつつハーフミラー１７でその一部が透過し、ハーフミラー１８でその一部が反射される。ハーフミラー１８で反射された光束は、センサ４１上に輝点像Ｒ’１を形成する。センサ４１はＰＳＤのような位置検出可能な受光センサである。ＸＹアライメント検出回路４２は、センサ４１の出力を基にして、測定部Ｓと角膜Ｃの位置関係（ＸＹ方向）を公知の手段によって演算し、その演算結果をＺアライメント検出補正回路７４および制御回路８０に出力する。
【００２３】
一方、ハーフミラー１８を透過した角膜Ｃによる反射光束は、ＣＣＤカメラ１９上に輝点像Ｒ’２を形成する。ＣＣＤカメラ１９はモニタ装置に画像信号を出力し、図４に示すように、被検眼Ｅの前眼部像Ｅ’、ＸＹアライメント指標光の輝点像Ｒ’２がモニタ装置の画面Ｇに表示される。なお、Ｈは図示しない画像生成手段によって生成されたアライメント補助マークである。
【００２４】
さらに、ハーフミラー１７によって反射された一部の光束は、角膜変形検出光学系５０に導かれ、ピンホール板５１を通過してセンサ５２に導かれる。センサ５２はフォトダイオードのような光量検出の可能な受光センサである。
【００２５】
Ｚアライメント指標投影光学系６０は、赤外光を出射するＺアライメント用光源６１、集光レンズ６２、開口絞り６３、ピンホール板６４、ピンホール板６４に焦点を一致させるように光路上に配置された投影レンズ６５を有し、Ｏ２はその光軸である。
【００２６】
Ｚアライメント光源６１を出射した赤外光は、集光レンズ６２により集光されつつ開口絞り６３を通過してピンホール板６４に導かれる。ピンホール板６４を通過した光束は、投影レンズ６５によって平行光とされ角膜Ｃに導かれ、図５に示すように、輝点像Ｑを形成するようにして角膜表面Ｔにおいて反射される。なお、開口絞り６３は投影レンズ６５に関して角膜頂点Ｐと共役な位置に設けられている。
【００２７】
Ｚアライメント検出光学系７０は、結像レンズ７１、Ｙ方向にパワーを持ったシリンドリカルレンズ７２、センサ７３、Ｚアライメント検出補正回路７４を有し、Ｏ３はその光軸である。
【００２８】
Ｚアライメント指標投影光学系６０によって投影された指標光の角膜表面Ｔにおける反射光束は、結像レンズ７１によって集束されつつシリンドリカルレンズ７２を介してセンサ７３上に輝点像Ｑ’を形成する。センサ７３はラインセンサやＰＳＤのような位置検出可能な受光センサである。センサ７３からの情報はＺアライメント検出補正回路７４に導かれる。
【００２９】
なおＸＺ平面内においては、輝点像Ｑとセンサ７３は結像レンズ７１に関して共役な位置関係にあり、ＹＺ平面内においては、角膜頂点Ｐとセンサ７３が結像レンズ７１、シリンドリカルレンズ７２に関して共役な位置関係にある。つまりセンサ７３は開口絞り６３と共役関係にあり（このときの倍率は、開口絞り６３の像がセンサ７３の大きさより小さくなるように選んである）、Ｙ方向に角膜Ｃがずれたとしても角膜表面Ｔにおける反射光束は効率良くセンサ７３に入射するようになる。また、Ｙ方向に長いスリット光を投影することによっても効率は落ちるが同様な効果を得ることができる。
【００３０】
ところで、本実施の形態では、図１に示したようにＺ方向のアライメントを検出するための投影系と受光系は、Ｚアライメント指標投影光学系６０およびＺアライメント検出光学系７０であり、それぞれ一つずつ設けられている。このような構成において、ＸＹ方向のアライメントずれの影響を受けずにＺ方向のアライメント検出を正確に行うために、ＸＹアライメント検出回路４２からのＸＹアライメント情報をＺアライメント検出補正回路７４に入力するようにしている。
【００３１】
すなわち、図６（ａ）に示すように、角膜Ｃの位置がＺ方向にΔＺずれた場合、センサ７３上で輝点像Ｑ’の位置が  ΔＺ×sinθ×ｍ  だけ移動する。ここでθは軸Ｏ１と軸Ｏ２および軸Ｏ１と軸Ｏ３のなす角度、ｍはＺアライメント光学系７０の結像倍率である。角膜ＣがＺ方向にずれただけであればセンサ７３上での輝点像Ｑ’の移動量から、角膜Ｃのずれ量は容易に算出できる。
【００３２】
しかし、図６（ｂ）に示すように、角膜Ｃの位置がＸ方向にΔＸずれた場合もセンサ７３上で輝点像Ｑ’の位置が  ΔＸ×cosθ×ｍ  だけ移動する。そこで、Ｚ方向およびＸ方向にずれた場合は、Ｚアライメント検出補正回路７４は、センサ７３上での輝点像Ｑ’の基準位置からのずれ量ΔＱ’とＸＹアライメント検出回路４２からのずれ量ΔＸから、測定部Ｓと角膜ＣのＺ方向の位置関係（ずれ量ΔＺ）を次の式１に基づいて演算し、その演算結果を制御回路８０に出力する。
【００３３】
ΔＺ＝（ΔＱ’−ΔＸ×cosθ×ｍ）／（sinθ×ｍ）  ・・・・・・・・・・・・（１）
そして検者は、図４に示したモニタ画面で前眼部像Ｅ’を観察しながら、輝点像Ｒ’２がアライメント補助マークＨの中に入り、かつピントが合うように測定部ＳをＸＹＺ方向に手動で移動させ、アライメントの調整を行う。このとき、制御回路８０はＸＹアライメント検出回路４２およびＺアライメント検出補正回路７４の出力が所定範囲内に入った場合に、図示しない気流吹き付け手段を作動させ、気流吹き付けノズル１２から角膜Ｃに向けて気流を吹き付け、そのときの角膜変形量を角膜変形検出光学系５０によって検出する。そして、所定変形量となったときの気流吹き付け圧から被検眼Ｅの眼圧値を求める。
【００３４】
なお、ＸＹアライメント検出回路４２から出力されるＸＹアライメント情報およびＺアライメント検出補正回路７４から出力されるＺアライメント情報に基づいて、測定部Ｓと被検眼Ｅのアライメント状態を検出し、その検出結果をＣＲＴ等に表示するように構成することもできる。
【００３５】
次に、一日の測定が終了したときに、殺菌光線を照射する場合には、図８に示すように、保護キャップ９１を気流吹き付けノズル１２の金物装着部９２に取り付ける。金物装着部９２は保護キャップ９１が嵌合する形状に仕上げられている。保護キャップ９１の内面には角膜扁平時の角膜の形状に対応する平面反射部９３が形成されている。
【００３６】
検者は保護キャップ９１を金物装着部９２に取り付けた後、図示を略すモード切り替えスイッチを操作して、モードを測定モードから殺菌光線照射モードに切り替える。
【００３７】
すると、図８に示すように、ＸＹアライメント用光源２１が発光され、保護キャップ９１の平面反射部９３にＸＹアライメント指標光Ｋが導かれ、その反射光がノズル１２、チャンバー窓ガラス１４、ハーフミラー１５を通過して対物レンズ１６に導かれ、この対物レンズ１６により集束されつつハーフミラー１７により反射されて、ピンホール板５１を介して検知手段としてのセンサー５２に導かれる。センサー５２は角膜変形検出に兼用され、センサー５２の検出信号は角膜変形検出手段５０の判断手段５０Ａに入力される。判断手段５０Ａは角膜変形と殺菌光線照射停止の判断に兼用されている。光量が所定値以上の反射光がセンサー５２に入射すると、センサー５２は所定値以上の検出信号を出力し、これにより判断手段５０Ａは検出信号の出力が所定値以上であると判断し、殺菌光線投影光学系３０の殺菌光線用光源３１が点灯され、チャンバー窓ガラス１４、前眼部窓ガラス１３、ノズル１２の内外に殺菌光線が強く照射され、これによりこれらの光学部材の殺菌が行われる。
【００３８】
保護キャップ９１を取り外すと、センサ５２に入射する反射光の光量が減衰し、センサー５２の検出信号が所定値未満となり、これにより殺菌光線投影光学系３０の殺菌光線用光源３１が消灯される。また、同時に、検者にブザー等の報知手段により殺菌光線用光源３１の消灯が報知される。
【００３９】
なお、タイマーを設けて殺菌光線用光源３１を一定時間点灯後に自動的に消灯させる構成としても良い。
【００４０】
また、通常の測定モードの時でも、被検眼角膜と測定部Ｓとの位置関係を計測手段としてのＺアライメント検出補正回路７４の情報に基づき検出し、被検眼角膜Ｓとの距離に応じて殺菌光線投影光学系３０の殺菌光線光源３１を照射及び停止させる構成とすると、高い殺菌効果を得ることができる。また、被検眼角膜と装置本体Ｓとの距離に応じて殺菌光線用光源３１の点灯光量を増減変更させる光量変更手段を設けても良い。例えば、被検眼の角膜と装置本体Ｓとの距離が遠くなるに伴って殺菌光線の光量を増加させて照射する構成とすると、安全性を確保しつつ殺菌効果を高めることができる。
【００４１】
測定部Ｓを被検眼に対して前後上下左右に移動可能にする設置するいわゆる公知の架台部（図示を略す）にマイクロスイッチ機構を設け、架台部が被検眼から最大も遠ざけられたことを、マイクロスイッチ機構により検出して、殺菌光線の照射光量を最大とする構成としても良い。
（実施の形態２）
次に、本発明の実施の形態２について説明する。上述の実施の形態１では、検者が測定部ＳをＸＹＺ方向に手動で操作してアライメント調整を行うものであった。これに対して本実施の形態では、測定部ＳをＸＹＺ方向に駆動する自動移動機構が設けられ、アライメント調整を自動で行うように構成されている。
【００４２】
図９は、本発明の眼科装置の全体構成を示す側面図で、１００は電源が内蔵されたベースである。ベース１００の上部には架台１０１がコントロールレバー１０２の操作により前後左右移動可能に設けられている。コントロールレバー１０２には手動スイッチ１０３が設けられ、この手動スイッチ１０３は手動モードのときに用いられる。架台１０１の上部にはモータ１０４、支柱１０５が設けられている。モータ１０４と支柱１０５とは図示を略すピニオン・ラックにより結合され、支柱１０５はモータ１０４によって上下方向（Ｙ方向）に移動される。支柱１０５の上端にはテーブル１０６が設けられている。
【００４３】
テーブル１０６には支柱１０７、モータ１０８が設けられている。支柱１０７の上端にはテーブル１０９が摺動可能に設けられている。テーブル１０９の後端には、図１０に示すようにラック１１０が設けられている。モータ１０８の出力軸にはピニオン１１１が設けられ、ピニオン１１１はラック１１０に噛み合わされている。また、テーブル１０９の上部にはモータ１１２と支柱１１３とが設けられている。モータ１１２の出力軸にはピニオン１１４が設けられている。支柱１１３の上部には装置本体ケース１１５が摺動可能に設けられている。装置本体ケース１１５の側部にはラック１１６が設けられている。ラック１１６はピニオン１１４と噛み合わされている。なお、装置本体ケース１１５の内部には、図１および図２に示した光学系が収納されている。
【００４４】
モータ１０４，１０８，１１２は、前述の制御回路８０から出力される制御信号によって制御される。そして装置本体ケース１１５は、モータ１０４に制御信号が出力されたときはＹ方向の移動が、モータ１０８に制御信号が出力されたときはＸ方向の移動が、モータ１１２に制御信号が出力されたときはＺ方向の移動がそれぞれ制御され、これによって、アライメント調整が自動で行われる。
【００４５】
このものでは、測定部Ｓを自動的にアライメントして測定後に、自動的に測定部Ｓが被検眼角膜から遠ざけられ、殺菌光線投影光学系３０の殺菌光線用光源３１が所定時間点灯される。
【００４６】
なお、自動的に測定部Ｓが遠ざけられた際に、自動的に装置本体ケース１１５が被検眼に対して下向きとなるように回転機構を設ければ、被検眼に対して不要な殺菌光線を照射せず安全の面で好ましい。
【００４７】
【発明の効果】
以上説明したように、本発明によれば、殺菌光線発生手段の機械的構造を複雑化することなく、測定の合間をぬってその都度頻繁に殺菌を行わせる構成とした場合であっても容易にかつ安全性を維持しつつ測定部の殺菌を行うことができるという効果を奏する。
【図面の簡単な説明】
【図１】本発明に係る眼科装置の光学系の要部構成図であってその平面配置図である。
【図２】本発明に係る眼科装置の光学系の要部構成図であってその側面配置図である。
【図３】角膜に正面から照射されたアライメント光束の反射の説明図である。
【図４】モニタの画面に表示された前眼部像を示す図である。
【図５】角膜に斜め方向から照射されたアライメント光束の反射の説明図である。
【図６】角膜の位置がずれた場合の光束の入反射関係を示す図であって、（ａ）は角膜がＺ方向にずれた場合の説明図、（ｂ）は角膜がＸ方向にずれた場合の説明図である。
【図７】本発明に係る眼科装置の殺菌光線発生手段を示す側面図である。
【図８】本発明に係る眼科装置に保護キャップを取り付けた状態を示す図である。
【図９】本発明に係わる眼科装置の全体配置を示す側面図である。
【図１０】本発明に係わる眼科装置の要部を示す平面図である。
【符号の説明】
１０  前眼部観察光学系
２０  ＸＹアライメント指標投影光学系
３０  殺菌光線発生手段
４０  ＸＹアライメント検出光学系
５２  センサ（検知手段）
８０  制御回路
Ｃ  角膜
Ｅ  被検眼
Ｓ  測定部
【図１】
0004204107.tif 000002
【図２】
0004204107.tif 000003
【図３】
0004204107.tif 000004
【図４】
0004204107.tif 000005
【図５】
0004204107.tif 000006
【図６】
0004204107.tif 000007
【図７】
0004204107.tif 000008
【図８】
0004204107.tif 000009
【図９】
0004204107.tif 000010
【図１０】
0004204107.tif 000011